(57)【特許請求の範囲】
【請求項１】
循環ファンとヒーターと除湿ローターが設けられて、室内の空気を吸入して再び室内に戻す循環風路と、
空気取入口を介し装置外からの空気を取り入れ、前記除湿ローター通過後の空気を空気吹出口を介し装置外に排出する排出風路と、
を備えた屋内用除加湿暖房装置において、
前記排出風路の空気取入口と空気吹出口は、複数の空間にそれぞれ連通する複数の空気取入口と複数の空気吹出口で構成され、
前記室内の加湿運転時には、湿度検出手段を介し前記複数の空間のうち湿度の高い空間から空気を取り入れるように前記複数の空気取入口のうち何れかを選択して切り替える手段を設けたことを特徴とする屋内用除加湿暖房装置。
【請求項２】
前記排出風路内の前記除湿ローターの上流側に再生用ヒーターを設け、
前記室内の除湿運転時には、前記再生ヒーターをＯＮし前記循環風路内のヒーターをＯＦＦするように制御することを特徴とする請求項１に記載の屋内用除加湿暖房装置。
【発明の詳細な説明】
【技術分野】
【０００１】
本発明は、屋内用の除加湿暖房装置に関するものである。
【背景技術】
【０００２】
従来、特許文献１に開示されているようなデシカント調湿機が存在し、このデシカント調湿機では、屋外から屋内への経路と、屋内から屋外への経路を併設し、屋内空気を加湿しながら要除湿空間の除湿ができるものとなっている。
【先行技術文献】
【特許文献】
【０００３】
【特許文献１】特開２００４−２７８９０４号公報
【発明の概要】
【発明が解決しようとする課題】
【０００４】
上記特許文献１に開示されているデシカント調湿機では、要除湿空間に取入口は無く、空気の取入口を選択できるものでもないため、除湿も加湿も非効率的なものであった。
【課題を解決するための手段】
【０００５】
本発明は、効率的な屋内用除加湿暖房装置の提供を目的とし、この目的の少なくとも一部を達成するために以下の手段を採った。
本発明は、循環ファンとヒーターと除湿ローターが設けられて、室内の空気を吸入して再び室内に戻す循環風路と、
空気取入口を介し装置外からの空気を取り入れ、前記除湿ローター通過後の空気を空気吹出口を介し装置外に排出する排出風路と、
を備えた屋内用除加湿暖房装置において、
前記排出風路の空気取入口と空気吹出口は、複数の空間にそれぞれ連通する複数の空気取入口と複数の空気吹出口で構成され、
前記室内の加湿運転時には、湿度検出手段を介し前記複数の空間のうち湿度の高い空間から空気を取り入れるように前記複数の空気取入口のうち何れかを選択して切り替える手段を設けたことを要旨とする。
【発明の効果】
【０００６】
本発明の屋内用除加湿暖房装置では、室内の加湿運転時に、湿度の高い空間から空気を取り入れるように空気取入口を選択することができるものであるため、例えば、乾燥空間で濡れたタオル等を乾燥している時に発生する水蒸気を、加湿対象空間の加湿に利用することができ、効率的に水分が得られ、加湿対象空間の加湿運転を効率的に行うと同時に、乾燥空間でタオル等の乾燥も行うことができるものとなる。
【０００７】
また、本発明の屋内用除加湿暖房装置において、前記排出風路内の前記除湿ローターの上流側に再生用ヒーターを設け、前記室内の除湿運転時には、前記再生ヒーターをＯＮし前記循環風路内のヒーターをＯＦＦするように制御するものとすることもできる。
こうすれば、夏季などに室内を除湿したい時には、循環風路を除湿用に使用でき、また、排出風路を除湿ローターの再生用に用いることができるものとなる。
【図面の簡単な説明】
【０００８】
【図１】除加湿対象室と乾燥室の配置状態の概略構成図である。
【図２】屋内用除加湿暖房装置の内部構造を示す概略構成図である。
【図３】屋内用除加湿暖房装置の変更例を示す内部構造の概略構成図である。
【発明を実施するための形態】
【０００９】
次に、本発明を実施するための形態を実施例を用いて説明する。
図１は、除加湿暖房装置を設置した除加湿対象室と、別の乾燥室間の配管構成図である。
除加湿対象室２の天井には、下面に吸込口３ａと吹出口３ｂを有する除加湿暖房機３が設置されている。また、別の乾燥室１内では、タオルＴ等を吊り下げて乾燥できるものである。
【００１０】
なお、図２は、除加湿暖房装置３内部の概略構造図である。
除加湿暖房装置３内には、循環風路５と、この循環風路５とは別に排出風路１０が設けられている。
循環風路５内には、大型のシロッコファンで構成された循環ファン６と、切替ダンパー７と、ヒーター８と、除湿ローター９が、上流側から下流側に向かって順次配設されており、循環ファン６が回転することで、吸込口３ａから除加湿対象室２内の空気を吸込み、ヒーター８で乾いた熱風として除湿ローター９に吹き付け、除湿ローター９内の水分を脱離させ、脱離した水分を含む高温多湿の空気を、吹出口３ｂから除加湿対象室２内に吹き出させて、高温多湿の空気により除加湿対象室２内を加湿暖房することができるものである。
【００１１】
除湿ローター９は、シリカゲルやゼオライト等の吸湿材料からなるハニカム状ローターで構成されており、排出風路１０内にも、この除湿ローター９の一部が配置され、排出風路１０内の除湿ローター９の上流側には、小型のシロッコファンで構成された排出ファン１１が設けられている。この排出ファン１１の上流側には切替ダンパー１２が設けられて、この切替ダンパー１２から分岐して取入管２０，２１が設けられている。
排出風路１０内では排出ファン１１が回転することで、空気は除湿ローター９を通り、除湿ローター９で水分が吸着されて、乾燥した空気となり、下流側へ送出されるものである。
【００１２】
図１に示すように、取入管２０は乾燥室１の天井に接続されて、先端が乾燥室１内に連通開口された第１取入口１３ａとなっており、一方の取入管２１は、先端が建物壁Ｗを貫通して屋外に連通開口された第２空気取入口１３ｂとなっている。
また、排出風路１０の除湿ローター９の下流側には、ダンパー１４が設けられ、このダンパー１４から分岐して排出管１６と戻し管１９が配管されており、戻し管１９は、その先端が乾燥室１の側壁を貫通して乾燥室１内に開口された第１空気吹出口１５ａとなっている。また、一方の排出管１６は、建物壁Ｗを貫通して先端が屋外に開口された第２空気吹出口１５ｂとなっている。
【００１３】
なお、前記排出風路１０内の例えば切替ダンパー１２の下流付近には、内部を流れる空気の湿度を検知できる湿度センサー２２が設けられており、この湿度センサー２２からの信号が図示しない制御部に伝えられて、制御部は湿度センサー２２からの検知信号に基づいて切替ダンパー１２および切替ダンパー１４を切替制御できるように構成されている。
【００１４】
除加湿対象室２を加湿暖房する加湿運転時に、例えば乾燥室１内で濡れたタオルを乾燥しているような場合には、乾燥時に発生する多量の水蒸気が乾燥室１内に存在するため、この水蒸気を含んだ空気を第１空気取入口１３ａから取入管２０に吸込み、排出風路１０を通して除湿ローター９で水蒸気中の水分を吸着し、乾燥させた空気として、戻し管１９を通して第１空気吹出口１５ａから乾燥室１内に乾燥した空気を戻すことができ、効率的に乾燥室１を乾燥させることができる。
【００１５】
水分を吸着した除湿ローター９は、前述した如く、循環風路５内で、ヒーター８により加熱された熱風が吹き付けられることにより、水蒸気を離脱させて、高温多湿の空気として除加湿対象室２内に吹出口３ｂから吹き出され、水蒸気を多量に含む暖房風により、除加湿対象室２内の体感温度は大となり、良好に除加湿対象室２が加湿暖房されることとなる。
【００１６】
即ち、乾燥室１で濡れたタオル等を乾燥している時に除加湿対象室２内を加湿暖房する際には、切替ダンパー１２は取入管２０側に開き、ダンパー１４は戻し管１９側に開くように制御されるものである。
なお、この状態で運転し、乾燥室１内からの水蒸気の供給が除々に少なくなって、排出風路１０内に流入される空気中の湿度が一定以下の値となった場合には、湿度センサー２２により制御部を介してダンパー１２が取入管２１側に開き、また、ダンパー１４は排出管１６側に開くように制御して、屋外から水蒸気を含んだ外気を排出風路１０内に取り入れ、排出管１６を通して屋外へ排出するように制御する。
【００１７】
このように、湿度センサー２２の検知信号に基づいて、制御部を介しダンパー１２，１４の開閉を制御して、加湿運転時には、湿度の高い空間側から空気を排出風路１０内に取り入れるように制御することができ、効率的に水分が得られて、水蒸気を除加湿対象室２内の加湿に有効に利用することができ、室内から逃げる熱量も小さくなり、エネルギー削減につながり、除加湿対象室２内の加湿運転時には、省エネをしながら、タオルＴ等の乾燥を良好に行えるものとなる。
【００１８】
なお、湿度センサー２２はダンパー１２の下流側の排出風路１０内に設けたものを例示しているが、この湿度センサー２２は、取入管２０および２１内にそれぞれ設けても良く、更には第１空気取入口１３ａと第２空気取入口１３ｂ側にそれぞれ設けて構成しても良く、２以上の湿度センサー２２が設けられている構成では、それぞれの湿度センサー２２の検知信号を比較して、湿度の高い側の取入管２０或いは２１の何れかをダンパー１２で開いて、水蒸気を多く含んだ空気を排出風路１０内に取り入れて加湿運転することができるものである。
【００１９】
なお、本例では、第２空気取入口１３ｂは屋外に開口したものを例示しているが、この第２空気取入口１３ｂは屋外に限らず、脱衣室などの他の屋内空間に開口させたものであっても良い。
また、本例では、ダンパー１２とダンバー１４を連動させるような制御構成を例示しているが、ダンパー１４は、ダンパー１２と連動することなく個別に開閉することもできるものである。
【００２０】
なお、前記切替ダンパー７には、屋外に連通する換気風路１７が接続されており、切替ダンパー７を換気風路１７側に切り替えた場合は、除加湿対象室２内の空気を吸込口３ａから吸い込んで循環風路５から換気風路１７を通し屋外へ排出することができるものである。
【００２１】
次に、図３は、除加湿暖房装置の変更例を示すものである。
この図３の除加湿暖房装置３では、排出風路１０内の除湿ローター９の上流側に再生用ヒーター１８を設けたものであり、その他の構成は図２のものと同様である。
この図３のように、再生用ヒーター１８を設けた構成のものでは、除加湿対象室２内を除湿することもできるものである。
即ち、図示しないリモコンの除湿ボタンを押して操作すると除湿運転に切り替わり、除湿運転時には、循環ファン６，排出ファン１１，除湿ローター９は回転され、再生用ヒーター１８がＯＮ状態となり、ヒーター８がＯＦＦとなる。
循環ファン６の回転により除加湿対象室２内の空気が吸込口３ａから循環風路５内に吸い込まれて、除湿ローター９を通過することで水分が吸着され、乾燥した空気となって再び吹出口３ｂから室内に戻されて、除加湿対象室２内が除湿されるものである。
【００２２】
この除湿運転時には、排出風路１０は再生風路として機能することとなり、排出ファン１１の回転により再生用ヒーター１８に送られた空気は、加熱されて除湿ローター９に吹き付けられ、除湿ローター９内の水分が除去されて高温多湿の空気となり、排出管１６を通り屋外に排出されるものである。
【００２３】
なお、図３において、逆に除加湿対象室２内を加湿暖房する場合には、図示しないリモコンの暖房ボタンをＯＮすることで、再生用ヒーター１８がＯＦＦされ、ヒーター８がＯＮされて、図２の場合と同様な加湿運転が行われるものである。
【符号の説明】
【００２４】
１  乾燥室
２  除加湿対象室
３  除加湿暖房装置３
３ａ  吸込口
３ｂ  吹出口
５  循環風路
６  循環ファン
７  切替ダンパー
８  ヒーター
９  除湿ローター
１０  排出風路
１１  排出ファン
１２，１４  切替ダンパー
１３ａ  第１空気取入口
１３ｂ  第２空気取入口
１５ａ  第１空気吹出口
１５ｂ  第２空気吹出口
１６  排出管
１７  換気風路
１８  再生用ヒーター
１９  戻し管
２０，２１  取入管
２２  湿度センサー
【図１】
0005535050.tif 000002
【図２】
0005535050.tif 000003
【図３】
0005535050.tif 000004